(57)【要約】【課題】  頒雑な操作を要することなく、所定の者のみが装置本体の駆動を開始／停止し得る画像処理装置を提供する。【解決手段】  主電源ボタン２１が操作されると、この主電源ボタン２１の表面の指紋を指紋認証モジュール２２で検出し、登録してある管理者の指紋と照合し、一致が得られると、認証信号がスイッチング部２５に加えられ、スイッチング部２５は、この認証信号と主電源ボタン２１からのＯＮ信号とによりＯＮし、主電源２４よりの電源電圧を複合機の本体回路部２０に供給し、この本体回路部２０を立ち上げる。主電源ボタン２１を操作しても、指紋認証が得られないと、スイッチング部２５はＯＮせず、本体回路部２０は立ち上がらない。【選択図】      図２
2005130063.tif 000002
【特許請求の範囲】
【請求項１】
身体的特徴の認証を行う認証手段と、
認証手段に対して電力を供給する第１の電力供給手段と、
装置の主電源となる第２の電力供給手段と、
認証手段の認証結果に基づいて、第２の電力供給手段の電力供給状態を制御する制御手段と、
を備えることを特徴とする画像処理装置。
【請求項２】
前記認証手段は、指紋認証を行うものであり、主電源を作動させるためのキーが操作されたとき、キー表面を検出部として指紋を検出して認証を行うことを特徴とする請求項１記載の画像処理装置。
【請求項３】
前記制御手段は、前記認証手段による認証の結果、電源管理者として予め登録した特徴データと一致しないと判断した場合、アラーム報知を行うことを特徴とする請求項１又は請求項２記載の画像処理装置。
【請求項４】
個別に電源をＯＮ／ＯＦＦが可能な複数の回路領域と、使用者に関連付けて使用可能な回路領域を記憶する記憶手段と、認証手段で認証した使用者に応じて電力を少なくともＯＮする回路領域を決定する制御手段と、を備えることを特徴とする画像処理装置。
【発明の詳細な説明】
【技術分野】
【０００１】
この発明は、複写機、ファクシミリ装置、複合機、プリンタ装置等の画像処理装置に関する。
【背景技術】
【０００２】
複写機、ファクシミリ装置等の画像処理装置においては、不特定な誰にでも使用されるのではなく、特定の管理者にのみ使用を許可したり、また管理者にのみ電源をＯＮ／ＯＦＦできるようにしたい場合がある。また、使用前にユーザの指を所定位置に置き、スキャナ機能を使ってユーザの指紋を読み取り、予め登録されている使用権限を持つユーザの指紋と照合して、ユーザ認証を行う技術が開示されている（例えば、特許文献１参照）。
【０００３】
また、入力された画像データに対して、所望の処理を実行するための処理モードを選択し、一方、身体的情報から抽出した特徴データを予め登録された管理者基準データと照合し、この照合された管理者単位の特徴データを所望の処理モードと関連付けをして、モード関連情報として登録し、その後、このモード関連情報に含まれる処理モードを実行する際には、この処理モードに関連付けて登録されている特徴データを用いて画像処理を実行する管理者の照合を行い、照合された管理者の指定する処理モードに基づいて、画像データの画像処理を行う技術も開示されている（例えば、特許文献２参照）。
【特許文献１】特開２００３−１２３０６０号公報
【特許文献１】特開２００２−４４３１３号公報
【発明の開示】
【発明が解決しようとする課題】
【０００４】
複合機等の画像処理装置においては、不特定な誰にでも電源のＯＮ／ＯＦＦ操作を許可するのではなく、特定の管理者にのみ、しかも煩雑な操作を要求することなく、電源のＯＮ／ＯＦＦ操作を許可できれば、非常に便利である。上記特許文献１、２に記載の技術は、いずれも指紋認証を含む身体的特徴の認証について記載はあるが、指紋認証と主電源のＯＮ／ＯＦＦとを結びつけるものではない。  この発明は上記問題点に着目してなされたものであって、煩雑な操作を要することなく、所定の者のみが装置本体の駆動を開始／停止し得る画像処理装置を提供することを目的としている。
【課題を解決するための手段】
【０００５】
この発明の画像処理装置は、身体的特徴の認証を行う認証手段と、認証手段に対して電力を供給する第１の電力供給手段と、装置の主電源となる第２の電力供給手段と、認証手段の認証結果に基づいて、第２の電力供給手段の電力供給状態を制御する制御手段と、を備えている。
【０００６】
この発明の画像処理装置において、前記認証手段は、指紋認証を行うものであり、主電源を作動させるためのキーが操作されたとき、キー表面を検出部として指紋を検出して認証を行うことができる。
【０００７】
また、この発明の画像処理装置において、前記制御手段は、前記認証手段による認証の結果、電源管理者として予め登録した特徴データと一致しないと判断した場合、例えばアラーム報知を行うようにすることもできる。
【０００８】
また、この発明の画像処理装置は、個別に電源をＯＮ／ＯＦＦが可能な複数の回路領域と、使用者に関連付けて使用可能な回路領域を記憶する記憶手段と、認証手段で認証した使用者に応じて電力を少なくともＯＮする回路領域を決定する制御手段と、を備えている。
【発明の効果】
【０００９】
請求項１に係る発明によれば、身体的特徴の認証を使って電源管理が行え、無駄な電力消費を防止できるとともに、セキュリティの向上を図ることができる。  また、請求項２に係る発明によれば、ユーザは主電源キーを押すだけで、特別な操作をしなくても指紋認証が行える。
【００１０】
また、請求項３に係る発明によれば、電源管理者以外が主電源を操作しようとした場合、その旨をその操作者及び／又は周囲の人に報知できる。
【００１１】
また、請求項４に係る発明によれば、認証された使用人毎に電源ＯＮされる回路が異なるので、よりきめの細かい電源管理が行え、より無駄な電力消費を防止できる。
【発明を実施するための最良の形態】
【００１２】
以下、実施の形態により、この発明をさらに詳細に説明する。図１は、この発明の実施形態であるカラー画像処理装置全体の概略構成を示すブロック図である。
【００１３】
この実施形態カラー画像処理装置は、ファクシミリ機能とコピー機能とを備えた、しかも画像としてモノクロの他、カラーも扱えるカラー複合機として構成したものである。このカラー複合機は、ＭＰＵ１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、画像読取部７と、表示部８と、操作部９と、ＣＯＤＥＣ１０と、画像記録部１１と、ＬＡＮＩ／Ｆ１２と、音声メモリ１３と、音声出力部１４と、バス１５と、電源制御部１６とを備えている。なお、ここでは電源制御部１６を除く回路部を総称して本体回路部２０と称する。
【００１４】
主制御部（ＣＰＵ）１は、この装置を構成する各部を制御する。この制御には原稿画像読取処理、読取画像・受信画像のプリント処理等の制御の他、、モノクロ画像、又はカラー画像を相手機に送信し、あるいは相手機から受信する場合の制御が含まれる。ＮＣＵ２は、通信回線である電話回線網（ＰＳＴＮ）１７との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。あるいは、これらに代えてＶ．３４に従って送信データの変調及び受信データの復調を行う。
【００１５】
ＲＯＭ４は、この装置を制御するためのプログラムを記憶する。ＲＡＭ５は、種々の制御処理に必要なデータ等を一時的に記憶する。画像メモリ６は、モノクロあるいはカラーの受信画像データや画像読取部９で読み取ったモノクロあるいはカラーの読み取り画像データを圧縮状態で記憶する。
【００１６】
画像読取部７は、ＦＡＸ送信するときに、あるいはコピーするときに、原稿を光学的に走査して画像データを読み取る。この画像読取部７は、モノクロ読み取りとカラー読み取りとを実行することが可能である。
【００１７】
表示部（ＬＣＤ）８は、アイコン、キーボタンの表示や、データの送受信に必要なメッセージ内容等を表示する。操作部９は、スタートキー、モード切替キー、カセット選択キー、テンキー、登録キー、その他のキーを有する。この操作部９には、更に主電源ボタン（キー）２１を備えている。
【００１８】
プリンタ用ＣＯＤＥＣ１０は、読み取った画像データを送信又は記憶するためにＭＨ、ＭＲ、ＭＭＲ方式等により符号化（エンコード）し、あるいは圧縮状態の受信画像データを記録するために復号（デコード）する。画像記録部１１は、電子写真式のプリンタよりなり、受信画像データやコピー動作において、画像読取部７で読み取った原稿の画像データを記録紙上に記録する。この画像記録部１１は、カラープリントも可能である。ＬＡＮＩ／Ｆ１２は、ＰＣ（パーソナルコンピュータ）その他のＬＡＮ１８（ローカルエリアネットワーク）を構成する外部機器と接続され、ここを介して外部機器とのデータ授受を行う。
【００１９】
音声メモリ１３は、音声ガイダンスを行うための音声メッセージデータ等を記憶している。音声出力回路１４は、音声メモリ１３より読み出された音声メッセージ等を音声出力できる。
【００２０】
電源制御部１６は、主電源ボタン２１の操作に応じて、本体回路各部への電源電圧の供給をＯＮ／ＯＦＦ制御する。こ電源制御回路１６は、図２に示すように、主電源ボタン２１と、指紋認証モジュール２２と、サブ電源２３と、主電源２４と、スイッチング部２５とを備えている。
【００２１】
主電源ボタン２１と指紋認証モジュール２２とは、一体に形成されるものであっても良いし、別体であっても良い。指紋認証モジュール２２は、ユーザが主電源ボタン２１を指でタッチすると、その指紋を採取し、予め登録されている者の指紋と一致するか否かの認証（照合）を行う。サブ電源２３は、指紋認証モジュール２２の電源電圧を供給している。主電源２４は、本体回路部２０の各部用の電源電圧を出力する。スイッチング部２５は、主電源ボタン２１が押され、かつ指紋認証モジュール２２より、採取指紋と登録指紋との一致が得られた旨の認証信号が入力されるとＯＮし、主電源２４からの電源電圧を本体回路部２０の各部に供給する。
【００２２】
この実施形態複合機では、上記のように、主電源キー（主電源ボタン）２１が押されると、キー表面を検出部として指紋認証モジュール２２で指紋認証を行い、認証の結果、管理者の指紋であると判断した場合には、主電源を立ち上げる。そして、更に管理者の指紋であると認証できなかった場合（管理者以外の指紋であると認証した場合を含む）、アラーム報知を行うようにしている。
【００２３】
次に、この実施形態複合機の主電源ボタン操作時の処理動作を図３に示すフロー図を参照して説明する。この処理ルーチンに入ると、ステップＳＴ１において、主電源ボタン２１が押されているか否か判定する。主電源ボタン２１が押されると、ステップＳＴ２へ移行する。
【００２４】
ステップＳＴ２においては、指紋認証モジュール２２で、主電源ボタン２１の表面に付された指紋を採取し、予め登録されている管理者の指紋と照合し、一致するかどうかの指紋認証を行う。次に、ステップＳＴ３へ移行する。ステップＳＴ３においては、認証の結果、管理者の指紋か否かの判定を行う。管理者の指紋である場合には、ステップＳＴ４へ移行する。一方、管理者の指紋でない場合は、ステップＳＴ５へ移行する。
【００２５】
ステップＳＴ４においては、主電源をＯＮしてシステムを立ち上げる。つまり、スイッチング部２５をＯＮして、主電源２４の電源電圧をスイッチング部２５を通して、本体回路部２０の各部に供給する。ステップＳＴ５においては、表示部８近傍に設けるアラームランプ、あるいはＬＥＤを点灯し、及び又は音声出力部１４より警告音を出力する。この場合、表示部８に警告メッセージを表示しても良い。
【００２６】
なお、上記実施形態において、登録されている管理者は１人でも良いが、複数人であっても良い。
【００２７】
また、上記実施形態においては、操作者が管理者であるとの認証が取れた場合、本体回路部の各部に電源電圧を供給し、本体回路部全体の動作を立ち上げるようにしているが、他の実施形態として、複数の使用者を登録しておき、操作者が誰であるかの認証に応じ、対応した一部の機能回路部に電源電圧を供給するようにしても良い。
【００２８】
次に、この実施形態について説明する。図４は、この実施形態複合機を説明するためのブロック図である。この実施形態複合機では、主電源ボタン３１がＯＮされると、指紋認証部３２で操作者の指紋が採取され、予め使用が許可された、例えばＡ、Ｂ、Ｃ、Ｄの４人の登録指紋と照合し、操作者がどの使用者であるか認証する。電源制御部３３は、指紋認証部３２からの認証信号に応じ、本体回路部２０のうちの記録部３５、読取部３６及び通信部３７に、全て、あるいは選択的に電源電圧を供給する。電源制御部３３において、いずれの機能部に電源電圧を供給するかは、認証信号に基づいて使用者メモリ３４の記憶（登録）内容を参照する。
【００２９】
使用者メモリ３４の記憶内容は、図５に示すように、使用者Ａ、Ｂ、Ｃ、Ｄに対応して記録部、読取部、通信部のいずれを使用できるか、つまりどの機能部を立ち上げるかを記憶している。図５の例では、使用者Ａは記録部、読取部、通信部の全てを使用でき、使用者Ｂは記録部のみを使用できる。
【００３０】
指紋認証部３２で操作者が、例えば使用者Ｂであると認証されると、電源制御部３３は、この認証信号を受け、使用メモリ３４の使用者Ｂの記憶内容を読み出し、記録部３５にのみ、電源電圧を供給することになる。もっとも、図５では図示していないが、本体回路部２０を構成する回路部であって、記録部３５、読取部３６、通信部３７を動作制御するに必要な共通の回路部については、各機能部に立ち上げ用の電源電圧を供給する際に、併せて電源電圧が供給される。あるいは予め供給していても良い。
【００３１】
次に、この実施形態複合機の主電源ボタン操作時の処理動作を図６に示すフロー図を参照して説明する。なお、このフロー図において、ステップＳＴ１１〜ＳＴ１３及びステップＳＴ１５の処理は、基本的には図３に示すフロー図のステップＳＴ１〜ＳＴ３及びステップＳＴ５の処理と同様である。
【００３２】
ただ、この実施形態では、ステップＳＴ１２の指紋認証及びステップＳＴ１３の認証の結果の登録者の指紋かの判定は、採取した操作者の指紋が予め登録されている使用者４人の指紋との照合によって実行される。使用者４人の指紋であるとの認証が得られた場合、ステップＳＴ１４へ移行する。
【００３３】
ステップＳＴ１４においては、操作者が使用者Ａであるか否か判定する。使用者がＡであれば、ステップＳＴ１６へ移行する。一方、使用者がＡでなければ、ステップＳＴ１７へ移行する。ステップＳＴ１６においては、使用者メモリ３４の使用者Ａの記憶内容を参照し、全回路部、すなわち記録部３５、読取部３６及び通信部３７の電源をＯＮする。
【００３４】
ステップＳＴ１７においては、操作者が使用者Ｂであるか否か判定する。使用者Ｂであれば、ステップＳＴ１８へ移行する。一方、使用者がＢでなければ、ステップＳＴ１９へ移行する。ステップＳＴ１８においては、使用者メモリ３４の使用者Ｂの記憶内容を参照し、記録部３５の電源をＯＮする。
【００３５】
ステップＳＴ１９においては、操作者が使用者Ｃであるか否かを判定する。使用者がＣであれば、ステップＳＴ２０へ移行する。一方、使用者がＣでなければ（使用者がＤである）、ステップＳＴ２１へ移行する。ステップＳＴ２０においては、使用者メモリ３４の使用者Ｃの記憶内容を参照し、通信部３７の電源をＯＮする。ステップＳＴ２１においては、使用者メモリ３４の使用者Ｄの記憶内容を参照し、記録部３５、読取部３６の電源をＯＮする。
【００３６】
なお、上記実施形態において、使用者の身体的特徴を検出するのに指紋認証を用いているが、本発明はこれに限られるものではなく、掌形、顔、虹採（アイリス）等を検出しても良い。
【図面の簡単な説明】
【００３７】
【図１】この発明の実施形態複合機の概略構成を示すブロック図である。
【図２】同実施形態複合機の電源制御部の回路構成を示すブロック図である。
【図３】同実施形態複合機の主電源ボタン操作時の処理動作を説明するためのフロー図である。
【図４】この発明の他の実施形態複合機の機能構成を示すブロック図である。
【図５】同実施形態複合機の使用者メモリの記憶例を示す図である。
【図６】同実施形態複合機の主電源ボタン操作時の処理動作を説明するためのフロー図である。
【符号の説明】
【００３８】
１        ＭＰＵ
２        ＮＣＵ
３        ＭＯＤＥＭ
４        ＲＯＭ
５        ＲＡＭ
６        画像メモリ
７        画像読取部
８        表示部
９        操作部
１０      ＣＯＤＥＣ
１１      画像記録部
１２      ＬＡＮＩ／Ｆ
１３      音声メモリ
１４      音声出力部
１５      バス
１６      電源制御部
１７      公衆回線
１８      ＬＡＮ
２０      本体回路部
２１      主電源ボタン
２２      指紋認証モジュール
２３      サブ電源
２４      主電源
２５      スイッチング部
【図１】
2005130063.tif 000003
【図２】
2005130063.tif 000004
【図３】
2005130063.tif 000005
【図４】
2005130063.tif 000006
【図５】
2005130063.tif 000007
【図６】
2005130063.tif 000008